(57)【特許請求の範囲】
【請求項１】
複数の走査配線と、
該走査配線とともにマトリクス配線を構成する複数の変調配線と、
前記走査配線によって印加される走査信号と前記変調配線によって印加される変調信号によってマトリクス駆動される表示素子と、
前記複数の走査配線を順次選択して、選択した走査配線に走査信号を印加する走査回路と、
時系列に入力される入力信号を記憶し、該記憶した結果に基づき、時系列な変調信号生成用信号から成る出力を複数発生し、該複数の出力を並列な出力として複数の出力経路に出力する出力回路と、
前記時系列な変調信号生成用信号に基づいて並列な変調信号を出力する変調側駆動回路と、
を有しており、
前記変調側駆動回路は、前記複数の出力経路の各々に対応して複数設けられており、それぞれが前記複数の変調配線のうちの一部かつ複数の変調配線に前記変調信号を供給するものであり、
前記出力回路は、
時系列に入力される１水平走査配線分の入力信号を、第１の部分から第Ｄの部分（Ｄは２以上の整数）に分けて記憶するメモリを有しており、前記第１の部分から第Ｄの部分のそれぞれをＤ個の前記並列な出力として出力するものであり、かつ、
前記並列な出力のうちの少なくとも一つの出力を、前記並列な出力のそれぞれの後端の内の最後端を構成するための前記入力信号を記憶する前に出力開始するものであり、
前記第１の部分に対応する第１の出力が入力される前記変調側駆動回路が変調信号を供給する変調配線の数は、前記第Ｄの部分に対応する第Ｄの出力が入力される前記変調側駆動回路が変調信号を供給する変調配線の数よりも少ない、
ことを特徴とする画像表示装置。
【請求項２】
前記複数の並列な出力を出力するために前記出力回路に時系列に入力される入力信号は、前記変調配線に並列に供給されるｎ個の変調信号を生成するためのｎ個の時系列な入力信号であり、前記出力回路は該ｎ個の時系列な入力信号を入力順に第１の部分から第Ｄの部分（Ｄは２以上の整数）とし、各部分に対応する出力を前記複数の並列な出力として出力するものであり、各部分が対応する出力が入力される前記変調側駆動回路が前記変調信号を供給する変調配線の数の比が、ｄ［１］：ｄ［２］：…：ｄ［Ｄ−１］：ｄ［Ｄ］、前記出力経路の夫々における信号の転送速度が、前記入力信号の入力速度のＭ倍の速度であるとしたときに、
【数１】
0003728250.tif 000010
の条件を満たす請求項１に記載の画像表示装置。
【請求項３】
前記複数の並列な出力を出力するために前記出力回路に時系列に入力される入力信号は、前記変調配線に並列に供給されるｎ個の変調信号を生成するためのｎ個の時系列な入力信号であり、前記出力回路は該ｎ個の時系列な入力信号を入力順に第１の部分から第Ｄの部分（Ｄは２以上の整数）とし、各部分に対応する出力を前記複数の並列な出力として出力するものであり、各部分が対応する出力が入力される前記変調側駆動回路が前記変調信号を供給する変調配線の数の比が、ｄ［１］：ｄ［２］：…：ｄ［Ｄ−１］：ｄ［Ｄ］、前記出力経路の夫々における信号の転送速度が、前記入力信号の入力速度のＭ倍の速度であるとしたときに、
【数２】
0003728250.tif 000011
の条件を満たす請求項１に記載の画像表示装置。
【請求項４】
前記出力回路は、前記記憶を行うためのメモリを有しており、少なくとも前記第Ｄの部分を記憶するメモリは書き込みと読出しを非排他的に行うことが出来るメモリである請求項１乃至３のいずれかに記載の画像表示装置。
【請求項５】
更に前記第１の部分を記憶するメモリが書き込みと読出しを非排他的に行うことの出来るメモリである請求項４に記載の画像表示装置。
【請求項６】
前記複数の並列な出力の送信速度が略等しい請求項１乃至５のいずれかに記載の画像表示装置。
【請求項７】
前記時系列に入力される信号は前記出力回路への入力順に第１の部分から第Ｄの部分（Ｄは２以上の整数）を有しており、前記出力回路は、該Ｄ個の部分のそれぞれに基づいてＤ個の前記並列な出力を出力するものであり、前記各変調側駆動回路には該Ｄ個の並列な出力が略同時に入力開始される請求項１乃至６のいずれかに記載の画像表示装置。
【請求項８】
Ｒ入力信号、Ｇ入力信号、Ｂ入力信号が夫々入力され、前記出力回路が各色の入力信号に対して設けられており、各出力回路の複数の並列な出力のうち、同じ変調側駆動回路に出力されるべき出力を合成する合成回路を更に有する請求項１乃至７いずれかに記載の画像表示装置。
【請求項９】
前記表示素子が電子放出素子である請求項１乃至８いずれかに記載の画像表示装置。
【発明の詳細な説明】
【０００１】
【発明の属する技術分野】
本発明は複数の表示素子を用いて画像を形成する画像表示装置に関するものである
【０００２】
【従来の技術】
従来、平面上に画像を形成する画像表示装置として種々のものが開発されている。例えば、このような従来の画像表示装置の一例について図２２及び図２３を参照して説明する。
【０００３】
図２２は、特開平５−１００６３２号公報に示されている従来の画像表示装置の構成を示す構成図、図２３は、図２２に示される画像表示装置のタイミングチャートである。
【０００４】
図２２及び図２３に示されるように、表示パネル２２０１の画素数が多くなるとそれに伴ってデータ信号２２２３の転送レートがあがる。
【０００５】
そのため、従来の画像表示装置では、データ信号２２２３の伝送線路およびデータ側駆動回路２２２４中のシフトレジスタが高速動作することが要求される。
【０００６】
上記高速動作の要求の解決法として特開平５−１００６３２号公報では、図２４及び図２５に示すような構成が提案されている。図２４は、従来の画像表示装置の構成図、図２５は、図２４に示される画像表示装置のタイミングチャートである。
【０００７】
図２４及び図２５に示されるように、この画像表示装置は、記憶回路部２４０４にデータ信号２４２３を分割して蓄え、輝度データ１〜４（２４１６〜２４１９）を並列かつ同時に送出することによって輝度データの伝送線路およびシフトレジスタの動作速度を下げることを目的としている。
【０００８】
また、図２５のタイミングチャートで示されているように、１走査配線分のデータを全て転送し終わった後、該データの表示を行う構成となっている。このような動作を実現する構成としては、１走査配線分の記憶装置として１走査配線分のデータ容量に等しい記憶回路を２組用いて、１走査期間中に１組の記憶回路にデータを蓄え、次の走査期間中に先の記憶回路に蓄えられたデータを送出しながら次の組の記憶回路にデータを蓄えるダブルバッファと呼ばれる方法が考えられる。
【０００９】
一方、他の従来の画像表示装置の一例として、ＵＳＰ５７１０６０４に示される画像表示装置がある。このＵＳＰ５７１０６０４に示される画像表示装置について図２６及び図２７を参照して説明する。図２６は、ＵＳＰ５７１０６０４に示される画像表示装置の構成図、図２７は、図２６に示される画像表示装置のタイミングチャートである。
【００１０】
ＵＳＰ５７１０６０４に示される画像表示装置では、色順次方式にてカラーを表示する表示装置において、制御部２６１４にタイミングを入力し、メモリ２６１２にデータを入力する。
【００１１】
そして、行ドライバ２６２０、列ドライバ２６１８及びアノードパワーサプライ２６１６を用いてフィールドディスプレイ２６２２を制御して画像を表示する。この画像表示装置では、ダブルバッファとして必要な２組の記憶回路の容量を節約する。
【００１２】
【発明が解決しようとする課題】
画像表示装置として、ＲＧＢそれぞれの映像データを選択配置する方法が知られている。このＲＧＢそれぞれの映像データを選択配置する画像表示装置について図２８及び図２９を参照して説明する。
【００１３】
図２８に、マトリクス表示パネルを用いた画像表示装置の構成図を示し、図２９に、図２８に示される画像表示装置の信号のタイミングチャートを示す。
【００１４】
図２８において、２８０１はマトリクス状に走査配線と変調配線が配置された表示パネルである。２８０３は変調配線を駆動する駆動部である。
【００１５】
２８０３−１は変調駆動を行う変調駆動回路である。２８０３−２は変調データを保持するラッチ回路である。
【００１６】
２８０３−３はシフトレジスタである。２８０２は走査配線の走査側駆動部である。２８３３はパネルを駆動するためのタイミングを生成する表示タイミング生成部である。
【００１７】
２８３０は入力された映像信号をデジタル化するＡ／Ｄ部である。２８３１はＲＧＢそれぞれの映像信号を表示パネルの画素配列に従って選択配置するＲＧＢ選択配置部である。
【００１８】
Ａ／Ｄ部２８３０はディスプレイ装置に入力されたＲＧＢそれぞれの映像信号Ｓ１をデジタル化し、デジタル映像信号Ｓ２−１〜Ｓ２−３を生成する。
【００１９】
ＲＧＢ選択配置部２８３１はデジタル映像信号Ｓ２を表示パネル２８０１の画素配列に対応するようにデータを選択配置し、輝度信号Ｓ３を生成する。
【００２０】
シフトレジスタ２８０３−３は輝度データを駆動部に入力する。ラッチ２８０３−２はシフトレジスタのデータを蓄える。
【００２１】
変調駆動回路２８０３−１はディスプレイ駆動タイミングＳ５にしたがってラッチされたデータをもとに表示パネル２８０１を駆動する。
【００２２】
また、転送タイミング生成部２８３２及び表示タイミング生成部２８３３では入力された映像信号Ｓ１をもとにそれぞれ、タイミング信号Ｓ６，Ｓ７、ディスプレイ駆動タイミングＳ４，Ｓ５を生成する。
【００２３】
走査側駆動部２８０２ではディスプレイ駆動タイミングＳ４にしたがって、表示パネル２８０１の走査電極を順にスキャンする。
【００２４】
この画像表示装置ではＲＧＢそれぞれの映像データを選択配置するため、輝度信号Ｓ３は選択配置する前の３倍のデータ量となり、輝度信号Ｓ３の転送速度は映像信号Ｓ１の３倍の速度が必要となる。またシフトレジスタ２８０３−３も相応の動作速度が求められる。
【００２５】
この対策として、特開平５−１００６３２号公報に示された構成を採用し、輝度信号Ｓ３を分割して並列に転送することによってシフトレジスタ２８０３−３の動作速度を下げることを検討した。
【００２６】
しかし、記憶回路部２４０４を特開平５−１００６３２号公報の記載を参酌して構成すると、シフトレジスタのデータ容量の２倍の記憶容量が必要となる。この記憶回路に使用可能な高速メモリは高価であるので、結果的に装置のコストが高くなってしまうという問題が生じる。
【００２７】
本発明は、時系列信号を並列信号に変換する変換回路（シフトレジスタなど）を含む変調側駆動回路を用いて好適に画像表示を行うことが出来る構成を実現することを課題とする。具体的には変換回路の動作速度が低速でよく及びまたはメモリの使用量の少なくてすむ画像表示装置を提供することを目的の一つとする。
【００２８】
【課題を解決するための手段】
本願にかかわる発明の一つは以下のように構成される。複数の走査配線と、該走査配線とともにマトリクス配線を構成する複数の変調配線と、前記走査配線によって印加される走査信号と前記変調配線によって印加される変調信号によってマトリクス駆動される表示素子と、前記複数の走査配線を順次選択して、選択した走査配線に走査信号を印加する走査回路と、時系列に入力される入力信号を記憶し、該記憶した結果に基づき、時系列な変調信号生成用信号から成る出力を複数発生し、該複数の出力を並列な出力として複数の出力経路に出力する出力回路と、前記時系列な変調信号生成用信号に基づいて並列な変調信号を出力する変調側駆動回路と、を有しており、前記変調側駆動回路は、前記複数の出力経路の各々に対応して複数設けられており、それぞれが前記複数の変調配線のうちの一部かつ複数の変調配線に前記変調信号を供給するものであり、前記出力回路は、時系列に入力される１水平走査配線分の入力信号を、第１の部分から第Ｄの部分（Ｄは２以上の整数）に分けて記憶するメモリを有しており、前記第１の部分から第Ｄの部分のそれぞれをＤ個の前記並列な出力として出力するものであり、かつ、前記並列な出力のうちの少なくとも一つの出力を、前記並列な出力のそれぞれの後端の内の最後端を構成するための前記入力信号を記憶する前に出力開始するものであり、前記第１の部分に対応する第１の出力が入力される前記変調側駆動回路が変調信号を供給する変調配線の数は、前記第Ｄの部分に対応する第Ｄの出力が入力される前記変調側駆動回路が変調信号を供給する変調配線の数よりも少ない、ことを特徴とする画像表示装置、である。
【００２９】
ここで変調側駆動回路としては、例えばシフトレジスタを用いることにより時系列な信号を並列な信号に変換する構成のものを採用することが出来る。なおシフトレジスタのみでは並列信号の出力タイミングを所望の状態に制御できない場合はラッチ回路と組み合わせても良い。また、シフトレジスタもしくはラッチ回路の出力をそのまま変調配線に印加すべき信号とせずに、シフトレジスタ（ラッチ回路を用いる場合はラッチ回路）と変調配線の間にシフトレジスタもしくはラッチ回路から出力される信号に基づいて変調信号を生成する変調駆動回路を配置する構成を好適に採用できる。この駆動回路としては入力される信号に基づいて信号の出力レベル（波高値）を変調して出力するものや、信号のパルス幅を変調して出力するものや、波高値変調とパルス幅変調を組み合わせた変調を行って出力するものを好適に採用できる。
【００３０】
なお表示素子は、例えば液晶パネルやプラズマディスプレイパネルの各画素や電子放出素子やエレクトロルミネセンス素子や微小ミラーを集積して光の反射を制御する微小ミラー集積デバイスの各ミラーが相当する。液晶や微小ミラー集積デバイスを用いる場合は光源と合わせて用いればよく、電子放出素子を用いる場合は放出される電子により発光する蛍光体を合わせて用いればよい。なお表示素子は、走査信号と変調信号が印加されることによって駆動されることになるが、具体的には走査信号として与えられる電位と変調信号として与えられる電位との電位差が表示素子に与えられることによって表示素子が駆動される。波高値変調の場合には具体的にはオン時の変調信号の波高値が変調され、パルス幅変調の場合には具体的にはオン時の変調信号のパルス幅が変調される。
【００３１】
なお、出力回路における記憶は入力信号の全てを記憶する必要はなく、例えば出力回路への入力と出力回路からの出力が同時になる入力信号については記憶せずに出力しても良い。
【００４９】
特に好適には、第１の部分に対応する第１の出力が入力される変調側駆動回路が変調信号を供給する変調配線の数（以降第１の部分に対応する変調配線の数とも言う。他の部分についても同様）が第２の部分から第Ｄの部分のそれぞれに対応する変調配線の数のいずれよりも小さい構成を好適に採用できる。
【００５０】
ここで前記複数の並列な出力を出力するために前記出力回路に時系列に入力される入力信号は、前記変調配線に並列に供給されるｎ個の変調信号を生成するためのｎ個の時系列な入力信号であり、前記出力回路は該ｎ個の時系列な入力信号を入力順に第１の部分から第Ｄの部分（Ｄは２以上の整数）とし、各部分に対応する出力を前記複数の並列な出力として出力するものであり、各部分が対応する出力が入力される前記変調側駆動回路が前記変調信号を供給する変調配線の数の比が、
ｄ［１］：ｄ［２］：…：ｄ［Ｄ−１］：ｄ［Ｄ］、
前記出力経路の夫々における信号の転送速度が、前記入力信号の入力速度のＭ倍の速度であるとしたときに、
【数３】
0003728250.tif 000002
の条件を満たすと好適である。
【００５１】
また、前記複数の並列な出力を出力するために前記出力回路に時系列に入力される入力信号は、前記変調配線に並列に供給されるｎ個の変調信号を生成するためのｎ個の時系列な入力信号であり、前記出力回路は該ｎ個の時系列な入力信号を入力順に第１の部分から第Ｄの部分（Ｄは２以上の整数）とし、各部分に対応する出力を前記複数の並列な出力として出力するものであり、各部分が対応する出力が入力される前記変調側駆動回路が前記変調信号を供給する変調配線の数の比が、
ｄ［１］：ｄ［２］：…：ｄ［Ｄ−１］：ｄ［Ｄ］、
前記出力経路の夫々における信号の転送速度が、前記入力信号の入力速度のＭ倍の速度であるとしたときに、
【数４】
0003728250.tif 000003
の条件を満たすと特に好適である。
【００５２】
なお以上述べた各発明において、前記出力回路は、前記記憶を行うためのメモリを有しており、少なくとも前記第Ｄの部分を記憶するメモリは書き込みと読出しを非排他的に行うことが出来るメモリであると好適である。これにより第Ｄの部分の書き込みと読出しを同時に行うことが可能となるので、第Ｄの部分の全てが記憶されるのを待たずに出力を開始できる。
【００５３】
また更に前記第１の部分を記憶するメモリが書き込みと読出しを非排他的に行うことの出来るメモリであると好適である。これにより第１の部分の書き込み期間の少なくとも一部を、その前の出力のための読出し期間として用いることが出来る。
【００６１】
なお以上述べた各発明においては、前記複数の並列な出力の送信速度が等しい構成が好適である。
【００６２】
また以上述べた各発明において、前記時系列に入力される信号は前記出力回路への入力順に第１の部分から第Ｄの部分（Ｄは２以上の整数）を有しており、前記出力回路は、該Ｄ個の部分のそれぞれに基づいてＤ個の前記並列な出力を出力するものであり、前記各変調側駆動回路には該Ｄ個の並列な出力が略同時に入力開始されるような構成にすると特に好適である。
【００６３】
また以上述べた各発明において、Ｒ入力信号、Ｇ入力信号、Ｂ入力信号が夫々入力され、前記出力回路が各色の入力信号に対して設けられており、各出力回路の複数の並列な出力のうち、同じ変調側駆動回路に出力されるべき出力を合成する合成回路を更に有する構成を好適に採用できる。合成回路としては、Ｒに対応する出力回路からの所定の変調側駆動回路への出力と該所定の変調側駆動回路への他の色に対応する出力回路からの出力を、該所定の変調側駆動回路が変調信号を供給する変調配線に接続される表示素子が対応する色に応じて選択して時系列に並べる色選択回路を用いればよい。よって、合成回路はＤ個の変調側駆動回路の夫々に対応して設けると良い。
【００６７】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００６８】
また、以下の図面において、前述の従来技術の説明で用いた図面に記載された部材、及び既述の図面に記載された部材と同様の部材には同じ番号を付す。また、以下に説明する本発明に係る画像表示装置の各実施形態の説明は、本発明に係る画像表示方法及び画像表示プログラムの各実施形態の説明を兼ねる。
【００６９】
（第１の実施形態）
まず、本発明に係る画像表示装置の第１の実施形態について図１から図３を参照して説明する。
【００７０】
図１は、本発明に係る画像表示装置の第１の実施形態の構成図である。第１の実施形態では、転送信号の分割数を２（Ｄ＝２）とした例を説明する。
【００７１】
図１において、１はマトリクス状に走査配線とｎ本の変調配線が配置された表示パネルである。２は走査配線を駆動するための走査回路である走査側駆動部である。３は変調配線を駆動する駆動部である。駆動部３は転送信号の分割数２に対応して２つの変調側駆動回路を有している。１つの変調側駆動回路は時系列に送られてくる転送信号（変調信号生成用信号である変調データ）を並列に出力する回路であるシフトレジスタ３−３と、シフトレジスタからの信号が入力され、それを保持するラッチ３−２回路と、変調データが入力されそれにしたがって変調信号を出力する変調駆動回路３−１とを有している。
【００７２】
上記走査配線と変調配線との交点に対応して本発明の構成要素たる表示素子としての電子放出素子が設けられている。このような電子放出素子としては、例えば、表面伝導型電子放出素子、電界放出型（ＦＥ型）の電子放出素子、金属／絶縁体／金属型（ＭＩＭ型）の電子放出素子などを挙げることができる。本実施形態では走査配線と変調配線の交点近傍に設けた表面伝導型電子放出素子を表示素子として用いた。他の表示素子を用いる構成としては液晶を素子として光変調を行う構成や、エレクトロルミネセンス素子を用いる構成や、微小ミラーを表示素子として該微小ミラーによる光変調を行う構成等を採用できる。
【００７３】
３３はパネルを駆動するためのタイミングを生成する表示タイミング生成部である。
【００７４】
３０は入力された映像信号をデジタル化するＡ／Ｄ部である。３１はＲＧＢそれぞれの映像信号を表示パネルの画素配列に従って選択配置するＲＧＢ選択配置部である。
【００７５】
３２は入力される入力信号（輝度信号）を変調側駆動回路の数に分割し、該分割した輝度信号を、変調側駆動回路の夫々へ転送する変調データ（変調信号生成用信号）として、それぞれが変調側駆動回路に接続される複数（ここでは２個）の出力経路に並列に出力する出力回路であり、ここでは多層化バッファとも称する。
【００７６】
Ａ／Ｄ部３０はディスプレイ装置に入力されたＲＧＢそれぞれの映像信号Ｓ１をデジタル化し、デジタル映像信号Ｓ２を生成する。
【００７７】
ＲＧＢ選択配置部３１は、デジタル映像信号Ｓ２を表示パネル１の画素配列に対応するようにデータを選択配置し、輝度信号Ｓ３を生成する。
【００７８】
多層化バッファ３２は、１走査期間内の輝度信号Ｓ３を複数のブロックに分割し、複数のシフトレジスタ３−３に並行に転送する、本発明の構成要素たる変調信号生成用信号（転送信号）としての転送データＳ３１〜Ｓ３２（変調データ）を生成する。この多層化バッファ３２による輝度信号Ｓ３の複数のブロックへの分割は、変調側駆動回路の夫々に接続される変調配線の数の比、すなわち、変調配線のブロックの分割比に対応して行われる。例えば変調配線の分割比が、ａ本：ｂ本：ｃ本であれば、輝度信号の分割比（例えば輝度信号に含まれる変調配線に対応する情報の量の比）もａ：ｂ：ｃとなる。
【００７９】
シフトレジスタ３−３は転送データＳ３１〜Ｓ３２の駆動部３への入力部である。
【００８０】
ラッチ回路３−２は、シフトレジスタ３−３に蓄えられた１走査期間分のデータをディスプレイ駆動タイミングＳ５にしたがってラッチする。
【００８１】
変調駆動回路３−１は、ラッチされたデータをもとに走査期間ごとに表示パネル１を駆動する。
【００８２】
また、本発明の構成要素たるタイミング発生手段としての表示タイミング生成部３３では入力された映像信号Ｓ１をもとにディスプレイ駆動タイミングＳ４，Ｓ５を生成する。
【００８３】
走査側駆動部２ではディスプレイ駆動タイミングＳ４にしたがって、表示パネル１の走査配線を順にスキャンし、選択した走査配線に走査信号を印加する。
【００８４】
以上を順次繰り返すことによって表示パネル１に画像を表示する。
【００８５】
図２は、図１に示される多層化バッファ３２の内部構成を示す図である。また図３は、図１に示される本発明に係る画像表示装置の第１の実施形態の動作のタイミングチャートである。
【００８６】
図２において、３４は多層化バッファ内のタイミング信号を発生する、本発明の構成要素たるアドレス発生手段としてのタイミングコントローラである。
【００８７】
このタイミングコントローラ３４には、本発明に係る画像表示プログラムを記録する記録媒体として、例えばＲＡＭ（ＲａｎｄｏｍＡｃｃｅｓｓＭｅｍｏｒｙ）やＲＯＭ（ＲｅａｄＯｎｌｙＭｅｍｏｒｙ）等の主記憶装置が具備されている（不図示）。
【００８８】
また、タイミングコントローラ３４は、ハードウェアによるロジック回路（ＡＳＩＣ等）でも実施可能である。
【００８９】
また、本発明に係る画像表示装置の第１の実施形態は、上記記録媒体の記憶容量を補うため、例えば磁気ディスク装置、光ディスク装置、半導体ディスク装置等による、フレキシブルディスク、ハードディスク、ＣＤ−ＲＯＭ、ＣＤ−Ｒ、ＣＤ−ＲＷ、ＭＯ等の補助記憶装置を使用するとしても良い。このことは以下の他の実施形態でも同様である。
【００９０】
したがって、本発明に係る画像表示プログラムを記録したコンピュータ読み取り可能な記録媒体は、上記主記憶装置及び補助記憶装置の少なくともいずれか一方が該当することになる。ただし、その他にもＣＤ−ＲＯＭや、ＦＤや、ＣＤ−Ｒや、ＣＤ−ＲＷなども、本発明に係る画像表示プログラムを記録したコンピュータ読み取り可能な記録媒体として使用することができる。
【００９１】
なお、本発明及び本実施形態の説明における、コンピュータ読み取り可能な記録媒体には、画像表示装置が読取可能な記録媒体の他、サーバが読み取り可能な記録媒体や、クライアントが読み取り可能な記録媒体を含むものである。
【００９２】
４１，４２は映像信号を一時的に貯える、第１のメモリであるメモリＡ，第２のメモリであるメモリＢである。
【００９３】
このメモリに用いる記憶素子は入力ポートと出力ポートとを別個に持つメモリであり、入出力を非同期に同時に行える非同期形デュアルポートタイプである。
【００９４】
Ｓ３は表示パネル１の素子配列に基づいてＲＧＢの信号が選択配置された映像信号である。
【００９５】
Ｓ１１〜Ｓ１２はメモリクＡ４１，メモリＢ４２に対するライトアドレス信号である。Ｓ２１〜Ｓ２２はメモリＡ４１，メモリＢ４２に対するリードアドレス信号である。
【００９６】
Ｓ７１〜Ｓ７２は各メモリのリードデータであり、そのまま転送信号（変調データ）Ｓ３１〜Ｓ３２となる。
【００９７】
また各メモリには不図示のライトイネーブル信号が接続されており、有効なライトアドレスＳ１１〜Ｓ１２が与えられていない期間はライトディセーブルとなる。
【００９８】
メモリＡ４１とメモリＢ４２のそれぞれの容量は、１走査配線分の輝度信号のうちの、各メモリに対応する変調側駆動回路が担当する変調配線数分の輝度信号を記憶できる容量になっており、ここでは変調配線を半分に分けてそれぞれを各変調側駆動回路が担当するので、各メモリの容量は１走査配線分のデータ量の半分となっている。各メモリは、幅は映像信号Ｓ３に等しく、深さはｎ／２の記憶素子で構成している。
【００９９】
タイミングコントローラ３４はＳ１１〜Ｓ１２およびＳ２１〜Ｓ２２の各アドレスコントロール信号を生成する。以下、各信号のタイミングの詳細を説明する。
【０１００】
メモリＡライトアドレス信号Ｓ１１は、多層化バッファに入力する輝度信号の１走査期間中の１番目のデータが入力されてからｎ／２番目のデータが入力されるまでの期間（以下これを「１走査期間中の１〜ｎ／２の期間」と表記する。以下同様）に輝度信号Ｓ３に同期して１〜ｎ／２という順に変化する。
【０１０１】
メモリＢライトアドレス信号Ｓ１２は、１走査期間中のｎ／２＋１〜ｎの期間に輝度信号Ｓ３に同期して１〜ｎ／２という順に変化する。
【０１０２】
メモリＡおよびＢリードアドレス信号Ｓ２１〜Ｓ２２は、１走査期間中のｎ／２＋１〜次の走査期間のｎ／２の期間内に１〜ｎ／２という順に変化する。
【０１０３】
このリードアドレス信号に従って変調データが読みだされて出力される。このリードアドレス信号は必ずしも輝度信号Ｓ３に同期している必要はない。また、前記期間内であればもっと短い期間に１〜ｎ／２という順に変化してもかまわないが、それに伴い後述するデータ速度が１／２まで低下しなくなるので、前記期間（１走査期間）を目いっぱい使用（全期間を使用）することが好ましい。
【０１０４】
以上のコントロール信号を与えることによって、メモリＡリードデータＳ７１には輝度信号Ｓ３の１〜ｎ／２のデータが１／２走査期間遅れて輝度信号Ｓ３のデータ速度の１／２の速度で出力される。
【０１０５】
同様にメモリＢリードデータＳ７２には輝度信号Ｓ３のｎ／２＋１〜ｎのデータが１／２走査期間遅れて輝度信号Ｓ３のデータ速度の１／２の速度で出力される。
【０１０６】
このように、タイミングコントローラ３４から、ライトアドレス信号Ｓ１１，Ｓ１２及びリードアドレス信号Ｓ２１，Ｓ２２がそれぞれのメモリＡ４１及びメモリＢ４２に入力されることにより、転送信号Ｓ３１，Ｓ３２が出力される。
【０１０７】
したがって、タイミングコントローラ３４のメモリＡ４１及びメモリＢ４２の制御プログラムは、本発明に係る画像表示プログラムであるといえる。このことは、以下の各実施形態において同様である。
【０１０８】
以上により、本実施形態によれば、２つのブロックに分割したシフトレジスタに並列にデータを転送し、転送データＳ３１〜Ｓ３２の転送速度およびシフトレジスタ３−３の動作速度を１／２に落とすことが、シフトレジスタの１走査配線分の容量に等しい記憶装置の容量で実現可能となる。
【０１０９】
ここでは、出力回路（多層化バッファ３２）として複数の出力経路（それぞれは各変調側駆動回路、特にはシフトレジスタに接続される）を持つもの（具体的には、前記出力経路に接続される出力ポートを持つメモリを複数持つ構成）を採用することにより、変調データを複数の変調側駆動回路に並列に出力できるようした。
【０１１０】
特に、時系列に出力回路（多層化バッファ３２）に入力される１走査配線分の変調データを各変調側駆動回路に対応する部分ごとに分けて各部分を各出力経路に出力する構成とした。すなわち、１走査配線分の変調データ（ｎ個の入力信号）はＤ個に分割され、Ｄ個の出力として出力される。ここで第Ｘ（１≦Ｘ≦Ｄ）の出力は該第Ｘの出力に対応する変調側駆動回路に接続される複数の変調配線に供給する変調信号を生成するための信号で構成される。また、１走査配線分の変調データを出力するときに以下の条件を採用している。
【０１１１】
○条件１  １走査配線分の変調データを分割した部分変調データのうちの最初の部分を出力回路で一時記憶した後、該最初の部分の読出しの開始（該最初の部分を変調側駆動回路に転送する経路である第１の出力経路への出力の開始）を、該１走査配線分の全ての変調データの出力回路（多層化バッファ３２）への入力（出力回路での記憶）が完了する前に開始する。
【０１１２】
○条件２  出力回路のメモリ内の所定アドレスに記憶された変調データの出力は、次に入力される変調データによる該所定アドレスへの上書きが行われるまでの間に行う。
【０１１３】
○条件３  上記条件１、２を満たした上で、前記最初の部分の読出し（前記第１の出力経路への前記最初の部分の出力）は、該最初の部分を出力回路に入力するのにかかる時間よりも長い時間をかけて行う。
【０１１４】
これらの条件を満たすことにより、少ない記憶容量で、出力回路から変調側駆動回路への変調データの通信レート（転送レート）を下げることが出来る構成を実現できる。
【０１１５】
なお本実施形態では、時系列な１走査配線分の変調データをＤ個（本実施形態ではＤ＝２）に分割した複数の部分のうちの最後の部分（第Ｄの部分）の出力回路への入力を開始した時点に、各出力経路への変調データの出力の開始が同期するようにしている。（なお、各出力経路への変調データの出力のタイミングに関して述べる場合、特に注釈のない限り、それは１走査配線分の変調データを分割した各部分を各出力経路へ出力する場合のタイミングのことを指すものとする。）
【０１１６】
各出力経路への変調データの出力の開始は、前記最後の部分の出力回路への入力の開始時点に完全に一致させる必要はないが、転送レートをなるべく低く抑制するためには、該開始時点に一致させるかその近傍（前記最後の部分の出力回路への入力の開始時点から、前記転送レートのクロックを１０カウントする時点までの間に設定するのが好ましい）に設定すると好適である。
【０１１７】
なお、本実施形態では、１走査配線分の変調データの各部分を並列に変調側駆動回路に出力する構成として、特に各出力経路への変調データの出力の開始を同時に設定しているが、各部分を並列に出力するとは、各部分の出力の開始を一致させることに限定されるものではなく、出力回路で記憶された所定の変調配線に印加すべき変調信号に対応する変調データの出力を、該変調データが該所定の変調配線に印加すべき次の変調データにより上書きされる前に行うことができる範囲で適宜設定することができる。ただし、各出力（各部分変調データ）が各出力経路に出力されている期間が重複していることは転送レートを低く設定するという観点から重要な要件であり、該期間が一致していると特に好適である。なお、各出力ポートからの変調データの出力の開始（各出力経路への各出力の出力開始）が同時でない場合に、そのまま変調側駆動回路に入力するのが不都合である場合には、後述の実施形態２のように変調側駆動回路に入力する前のいずれかの時点で所定の遅延を与えることにより変調側駆動回路への入力タイミングを調整することも可能である。
【０１１８】
なお特に本実施形態では上記条件１、２、３を好適に実現できる出力回路の構成として、夫々独立に制御可能な複数のメモリを持つものとし、さらに各メモリは出力ポートと入力ポートを別個に有するデュアルポートメモリとした。デュアルポートメモリを採用することにより、メモリへのデータの入力と出力とを非排他的に行うことが出来るため、メモリへの次の走査配線分のデータの入力が開始される前までに該メモリからのデータの読出しを完了する必要がない。よって、所定アドレスに上書きする前に該所定アドレスに記憶されたデータを読み出すことを条件として、メモリへの次の走査配線分の変調データの入力が開始された後に該メモリからの前の走査配線分の変調データの読出し終了時点を設定できるため、該メモリからの部分変調データ（１走査配線分のデータの各部分）の出力にかける時間を特に長く出来、変調側駆動回路への通信レートをより低くすることが出来る。
【０１１９】
またこの実施形態では特にＤ＝２の場合の例を挙げたが、Ｄを２以上として第Ｘのメモリ（１≦Ｘ≦Ｄ）に与えられるライトアドレスは、一つの走査配線分の前記ｎ個の入力信号のうちのｎ（Ｘ−１）／Ｄ＋１番目の入力信号が入力されてからｎＸ／Ｄ番目の入力信号が入力されるまでの期間に該入力信号に同期して１からｎ／Ｄという順に変化させる構成を採用することにより各メモリに信号を書き込み、第Ｘのメモリ（１≦Ｘ≦Ｄ）に与えられるリードアドレスは、前記ｎ個の入力信号のうちのｎ（Ｄ−１）／Ｄ＋１番目の入力信号が入力されてから次のｎ個の入力信号のうちのｎ／Ｄ番目の入力信号が入力されるまでの期間内（好適には該期間の全てを用いて）に１からｎ／Ｄという順に変化するようにすることにより上記条件を簡便な構成で満たすことができる。ただし、この構成においてはＤ＝２とすると各出力経路を用いない期間を少なくすることが出来るため好適である。
【０１２０】
（第２の実施形態）
次に、本発明に係る画像表示装置の第２の実施形態について図４、図５及び図６を参照して説明する。図５及び図６は見やすくするために分けているが、そのタイミングは図５、６に示す破線Ａ、Ｂで一致している。
【０１２１】
第２の実施形態では、転送信号の分割数（変調側駆動回路の数）、及び、出力回路である多層化バッファ４３２を構成するメモリの数をそれぞれ３として説明する。この実施形態でもメモリとしてはデュアルポートメモリを採用している。
【０１２２】
図４は、本発明に係る画像表示装置の第２の実施形態に使用される多層化バッファ４３２及び駆動部４０３の一部の構成図である。
【０１２３】
ここで、本発明に係る画像表示装置の第２の実施形態は、その全体構成及び多層化バッファ４３２及び駆動部４０３以外の部材の構成及び動作は、前述の第１の実施形態の図１に示される全体構成及び、各部材の構成及び動作と同様である。
【０１２４】
また、図５及び図６は、図４に示される画像表示装置の動作のタイミングチャートである。
【０１２５】
図４において、５１は分割された映像信号Ｓ３１を一定の時間遅らせる、本発明の構成要素たる遅延回路としてのディレイユニット（以下同じ）である。Ｓ４１はディレイユニット５１によって遅れた信号である。
【０１２６】
４１，４２，４３はそれぞれ第１、第２、第３のメモリであるメモリＡ，メモリＢ，メモリＣである。容量はそれぞれ１走査配線分の容量の１／３である。
【０１２７】
Ｓ１１〜１３はライトアドレス信号である。Ｓ２１〜Ｓ２３はリードアドレス信号である。Ｓ７１〜Ｓ７３は各メモリのリードデータであり、そのまま転送信号Ｓ７１〜Ｓ７３となる。
【０１２８】
メモリＡライトアドレス信号Ｓ１１は、１走査期間中の１〜ｎ／３の期間に輝度信号Ｓ３に同期して１〜ｎ／３という順に変化する。
【０１２９】
メモリＢライトアドレス信号Ｓ１２は、１走査期間中のｎ／３＋１〜２ｎ／３の期間に輝度信号Ｓ３に同期して１〜ｎ／３という順に変化する。
【０１３０】
メモリＣライトアドレス信号Ｓ１３は、１走査期間中の２ｎ／３＋１〜ｎの期間に輝度信号Ｓ３に同期して１〜ｎ／３という順に変化する。
【０１３１】
メモリＡリードアドレス信号Ｓ２１は、１走査期間中のｎ／３＋１〜次の走査期間のｎ／３の期間内に１〜ｎ／３という順に変化する。これは必ずしも輝度信号Ｓ３に同期している必要はない。
【０１３２】
メモリＢおよびＣリードアドレス信号Ｓ２２〜Ｓ２３は、１走査期間中の２ｎ／３＋１〜次の走査期間の２ｎ／３の期間内に１〜ｎ／３という順に変化する。これは必ずしも輝度信号Ｓ３に同期している必要はない。
【０１３３】
以上のコントロール信号を与えることによって、メモリＡリードデータＳ７１には輝度信号Ｓ３の１〜ｎ／３のデータが１／３走査期間遅れて輝度信号Ｓ３のデータ速度の１／３の速度で出力される。
【０１３４】
同様にメモリＢリードデータＳ７２には輝度信号Ｓ３のｎ／３＋１〜２ｎ／３のデータが２／３走査期間遅れて輝度信号Ｓ３のデータ速度の１／３の速度で出力される。
【０１３５】
同様にメモリＣリードデータＳ７３には輝度信号Ｓ３の２ｎ／３＋１〜ｎのデータが２／３走査期間遅れて輝度信号Ｓ３のデータ速度の１／３の速度で出力される。
【０１３６】
ディレイユニット５１はメモリＡからの転送信号Ｓ３１を入力し、入力から１／３走査期間遅れた信号Ｓ４１を出力する。このユニットに必要な記憶容量は１走査配線分の容量の１／９である。
【０１３７】
以上により、３つのブロックに分割したシフトレジスタに並行かつ１走査配線分のデータを分割した各部分変調データの先頭を一致させた状態で入力し、転送データＳ３１〜Ｓ３３の転送速度およびシフトレジスタ３−３の動作速度を１／３に落とすことを、合わせて１走査配線分の容量に等しいメモリ容量となる３つのデュアルポートメモリと１走査配線分の容量の１／９倍に等しいメモリ容量のディレイユニットで実現可能となる。
【０１３８】
特に本実施形態では遅延回路であるディレイユニット５１を用いることにより、各変調側駆動回路（のシフトレジスタ）への変調データの入力の開始点を近づける（特には一致させる）ことが出来ている。またそのため、好適に転送速度を下げることが可能となっている。
【０１３９】
すなわち、本実施形態では、第１の出力ポートから（第１の出力経路へ）の変調データの出力を、最後の（第Ｄの）出力経路への変調データの出力が可能となる前（すなわち１走査配線分の変調データのうち第Ｄの出力経路へ出力すべき変調データが出力回路に入力される前）に開始する構成を採用している。このままでは各部分変調データの先頭が各変調側駆動回路へ入力されるタイミングがずれるのであるが、遅延用のメモリであるディレイユニットを用いることにより、そのタイミングのずれを緩和することが可能となっている。なお、図４の構成では遅延回路であるディレイユニットを変調側駆動回路のシフトレジスタの近傍に配置するように示しているが、遅延回路の位置はこの位置に限るものではなく、各出力の変調側駆動回路への入力開始のタイミングのずれを緩和できることを条件として所望の位置に設けることが出来る。
【０１４０】
また遅延回路により各変調側駆動回路への入力開始のずれを緩和する構成は本実施形態で示した構成に限定されるものではなく、出力回路からの並列な出力の出力開始にずれがある構成においては適用することが出来る。
【０１４１】
ここで、上記第２の実施形態では、出力回路の記憶容量が、シフトレジスタの１走査配線分の容量に等しい容量で実現可能としているが、シフトレジスタの容量以上の記憶容量を有する出力回路を用いても良い。本願発明によれば遅延回路に必要な記憶容量を含めても記憶容量はシフトレジスタの容量の２倍未満にできる。
【０１４２】
（第３の実施形態）
前述の第２の実施形態では転送信号の分割数が３（変調側駆動回路の数が３、すなわちＤ＝３）の場合であった。しかし、４分割以上の場合もほぼ同様の構成で、画像表示装置を実現できる。特にこの第３の実施形態では分割数Ｄを一般化してかつ最適化した例を示す。
【０１４３】
ここで、本発明に係る画像表示装置の第３の実施形態は、その全体構成及び多層化バッファ及び駆動部以外の部材の構成及び動作は、前述の第１の実施形態の図１に示される全体構成及び、各部材の構成及び動作と同様である。
【０１４４】
例えば、図４を参照しつつ、分割数をＤ（Ｄ≧４）とすると、Ｘ番目（Ｘ＝１〜Ｄ）のライトアドレス信号は、１走査期間中のｎ（Ｘ−１）／Ｄ＋１〜ｎＸ／Ｄの期間に輝度信号Ｓ３に同期して１〜ｎ／Ｄという順に変化する。
【０１４５】
Ｘ番目（Ｘ＝１〜Ｄ−１）のリードアドレス信号は、１走査期間中のｎＸ／Ｄ＋１〜次の走査期間のｎＸ／Ｄの期間内に１〜ｎ／Ｄという順に変化する。
【０１４６】
Ｄ番目のリードアドレス信号はＤ−１番目のリードアドレス信号と同じである。
【０１４７】
以上のコントロール信号を与えることによって、Ｘ番目（Ｘ＝１〜Ｄ−１）のリードデータには輝度信号Ｓ３のｎ（Ｘ−１）／Ｄ＋１〜ｎＸ／ＤのデータがＸ／Ｄ走査期間遅れて輝度信号Ｓ３のデータ速度の１／Ｄの速度で出力される。
【０１４８】
Ｄ番目のリードデータにはｎ（Ｄ−１）／Ｄ＋１〜ｎのデータが（Ｄ−１）／Ｄ走査期間遅れて輝度信号Ｓ３のデータ速度の１／Ｄの速度で出力される。
【０１４９】
Ｘ番目（Ｘ＝１〜Ｄ−２）のディレイユニットはそれぞれの転送データを入力し、（Ｄ−Ｘ−１）／Ｄ走査期間遅れた信号を出力する。
【０１５０】
このディレイユニットに必要な記憶容量は、１走査配線分の容量の（Ｄ−Ｘ−１）／Ｄ２倍である。
【０１５１】
以上により、Ｄのブロックに分割したシフトレジスタに並列にデータを転送し、転送データの転送速度およびシフトレジスタの動作速度を１／Ｄに落とすことが、合わせて１走査配線分の容量に等しいメモリ容量の複数のデュアルポートメモリと以下の式（５）倍に等しい容量のディレイユニットで実現可能となる。
【０１５２】
【数５】
0003728250.tif 000004
【０１５３】
（第４の実施形態）
前述の第１の実施形態から第３の実施形態の画像表示装置では、駆動部（例えば図１に示される駆動部３）の各変調側駆動回路に接続される変調配線数を等しくした場合（変調配線を等分割した場合）の例を示した。ただしこれに限るものではなく、変調配線を不等分割し、各変調側駆動回路に接続される変調配線数を夫々異なるものとしても良い。その場合は、一部の出力経路を使用しない時間を設けて対応することが可能であり、出力回路で分割する前の信号の通信レートよりも出力回路で分割した後の信号の出力速度の方を遅く出来る条件を満たす範囲であれば有効な構成である。
【０１５４】
一方本実施形態では各変調側駆動回路に接続される変調配線数を積極的に異ならせることにより、好適な転送レートを実現する構成を示す。
【０１５５】
この実施形態では、第Ｄの出力経路（特にここでは第１の出力経路以外の他の出力経路も含めて）への変調データの出力終了時点を、次の１走査配線分の変調データのうちの第１の出力経路に出力すべき変調データの出力回路への入力が完了した後に設定することにより出力回路から変調側駆動回路までの転送レートを好適に下げる構成としている。またここでは、第１の出力経路における変調側駆動回路までの転送レートも他の出力経路における転送レートと同じにしており、また第１の出力経路への変調データの出力の終了時点が、次の１走査配線分の変調データのうちの第１の出力経路へ出力すべき変調データの出力回路への入力が完了した後になるのを回避できるように、第１の出力経路を介して変調データが入力される変調側駆動回路に接続される変調配線の数を、第Ｄの出力経路（特にここでは第１の出力経路以外の出力経路）を介して変調データが入力される変調側駆動回路に接続される変調配線の数よりも少なくしている。
【０１５６】
図７に、本発明に係る画像表示装置の第４の実施形態における多層化バッファ７３２及び駆動部７０３の構成図を示し、図８に、図７に示される画像表示装置のタイミングチャートを示す。
【０１５７】
なお、本発明に係る画像表示装置の第４の実施形態において、全体構成及び多層化バッファ７３２及び駆動部７０３以外の部材の構成及び動作は、前述の第１の実施形態の図１に示される全体構成及び、各部材の構成及び動作と同様である。
【０１５８】
本実施形態では、駆動部７０３のブロック分けを不均等に行っている。すなわち各変調側駆動回路に接続される変調配線数を異ならせ、その比率を、１：２：２としている。
【０１５９】
例えば、表示パネル１の変調配線の数ｎが１０００本だとすると、２００：４００：４００の割合でブロック分けを行う。
【０１６０】
７４１，７４２，７４３はそれぞれ第１のメモリ、第２のメモリ、第３のメモリであるメモリである。容量はメモリＡ７４１が１走査配線分の容量の１／５、メモリＢ７４２及びメモリＣ７４３がそれぞれ１走査配線分の容量の２／５である。
【０１６１】
Ｓ１１〜１３はライトアドレス信号である。Ｓ２１〜Ｓ２３はリードアドレス信号である。Ｓ７１〜Ｓ７３は各メモリのリードデータであり、そのまま転送信号Ｓ３１〜Ｓ３３となる。
【０１６２】
図８に示されるように、メモリＡライトアドレス信号Ｓ１１は、１走査期間中の１〜ｎ／５の期間に輝度信号Ｓ３に同期して１〜ｎ／５という順に変化する。
【０１６３】
メモリＢライトアドレス信号Ｓ１２は、１走査期間中のｎ／５＋１〜３ｎ／５の期間に輝度信号Ｓ３に同期して１〜２ｎ／５という順に変化する。
【０１６４】
メモリＣライトアドレス信号Ｓ１３は、１走査期間中の３ｎ／５＋１〜ｎの期間に輝度信号Ｓ３に同期して１〜２ｎ／５という順に変化する。
【０１６５】
メモリＡリードアドレス信号Ｓ２１は、１走査期間中の３ｎ／５＋１〜次の走査期間の０．５ｎ／５の期間内に１〜ｎ／５という順に変化する。これは必ずしも輝度信号Ｓ３に同期している必要はない。
【０１６６】
メモリＢおよびＣリードアドレス信号Ｓ２２〜Ｓ２３は、１走査期間中の３ｎ／５＋１〜次の走査期間の３ｎ／５の期間内に１〜２ｎ／５という順に変化する。これは必ずしも輝度信号Ｓ３に同期している必要はない。
【０１６７】
以上のコントロール信号を与えることによって、メモリＡリードデータＳ７１には輝度信号Ｓ３の１〜ｎ／５のデータが３／５走査期間遅れて輝度信号Ｓ３のデータ速度の２／５の速度で出力される。
【０１６８】
同様にメモリＢリードデータＳ７２には輝度信号Ｓ３のｎ／５＋１〜３ｎ／５のデータが３／５走査期間遅れて輝度信号Ｓ３のデータ速度の２／５の速度で出力される。
【０１６９】
同様にメモリＣリードデータＳ７３には輝度信号Ｓ３の３ｎ／５＋１〜ｎのデータが３／５走査期間遅れて輝度信号Ｓ３のデータ速度の２／５の速度で出力される。
【０１７０】
以上により、３つのブロックに分割したシフトレジスタに並列にデータを転送し、転送データＳ３１〜Ｓ３３の転送速度およびシフトレジスタの動作速度を２／５に落とすことが、１走査配線分の容量に等しいメモリ容量で実現可能となる。
【０１７１】
（第５の実施形態）
また、前述の第４の実施形態と同様にして、分割比を異なる値に設定する他の構成も実現可能である。分割比を一般化し、最適化を行った場合の実施形態を本発明に係る画像表示装置の第５の実施形態として説明する。
【０１７２】
本第５の実施形態の実施形態において、全体構成及び多層化バッファ及び駆動部以外の部材の構成及び動作は、前述の第１の実施形態の図１に示される全体構成及び、各部材の構成及び動作と同様である。
【０１７３】
本実施形態では、駆動部のシフトレジスタの分割数が３（Ｄ＝３）でそれぞれの分割比が、ａ：ｂ：ｃとする。
【０１７４】
さらに分割後の転送データの転送速度が、輝度信号Ｓ３のＭ倍であるとすると（Ｍ：実数）、以下の式（６）の条件が満たされていれば１走査配線分の容量に等しい記憶容量で本発明が好適に適用可能である。
【０１７５】
【数６】
0003728250.tif 000005
【０１７６】
さらに、以下の式（７）を満たすときに３分割の場合での最低の転送速度となり、最良の結果が得られる。
【０１７７】
【数７】
0003728250.tif 000006
【０１７８】
また４分割以上の場合でも同様に分割手段での分割数をＤ、分割比がｄ［１］：ｄ［２］：…：ｄ［Ｄ−１］：ｄ［Ｄ］、前記分割手段から出力された転送信号の転送速度が、前記輝度信号のＭ倍の速度であるとしたときに以下の式（８）の条件（条件１ａ）が満たされていれば１走査配線分の容量に等しい記憶容量で本発明が好適に適用可能である。
【０１７９】
【数８】
0003728250.tif 000007
【０１８０】
さらに、以下の式（９）（条件１ｂ）を満たすときに最低の転送速度となり最良の結果が得られ、１走査配線分の容量に等しい記憶容量でシフトレジスタおよび分割後の転送速度を下げることが可能である。
【０１８１】
【数９】
0003728250.tif 000008
【０１８２】
上記のように、（１）条件１ａが満たされていれば１走査線分の容量に等しい記憶容量で発明が実施できる根拠、及び、（２）条件１ｂが満たされていれば、最低の転送速度となり最良の結果が得られ、１走査線分の容量に等しい記憶容量でシフトレジスタ３−３および分割後の転送速度を好適に下げることが可能である根拠、について以下に説明する。
【０１８３】
まず、前提条件として、
（条件１）リードアドレスの出始めはライトアドレスの出始めよりも前に出られない（データを書き込む前に読むことはできない）
（条件２）リードアドレスの出終わりは、次のラインのライトアドレスの出終わりより遅れることはできない（データを追い越せない）
（条件３）全てのリードデータは同時に異なるラインのデータを転送することはできない（パネルの表示（駆動）は、同じラインは同時に行う）
をふまたうえで、以下の式（１０）の式（ａ）、（ｂ）を参照しつつ図１３を参照しつつ説明する。
【０１８４】
【数１０】
0003728250.tif 000009
【０１８５】
ここで、（ａ）式（１）項は、ｘ＝Ｄの場合の分割比、（ａ）式（２）項は、ｘ＝１〜Ｘ（Ｘ＝１〜Ｄ−１）の場合の分割比の和である。
【０１８６】
最終メモリｄ［Ｄ］が入力されるリードアドレスに応じて信号を出力可能な期間は、自メモリへのライトアドレスの入り始めから、次のラインの信号を書き込むための自メモリへのライトアドレスの入り始めまでである。すなわち全ての期間（１ライン期間）ということになる（ｂ式）。
【０１８７】
そして、後ろから２番目のメモリｄ［Ｄ−１］の場合は、最終メモリｄ［Ｄ］と同時にリードアドレスに応じて信号を読み出し始め（条件３）、次のラインの信号を書き込むための自メモリへのライトアドレスの入力終了までリードアドレスに応じて信号を読み出せる（条件２）。結局、後ろから２番目のブロックも１ラインの期間いっぱいを使うことができる。
【０１８８】
後ろから３番目のメモリでも同様に、最終メモリｄ［Ｄ］と同時にリードアドレスに応じて信号を読み出し始め（条件３）、次のラインの信号を書き込むための自メモリへのライトアドレスの入力終了までリードアドレスに応じて信号を読み出せるが（条件２）、１ライン期間全てを使い切ることはできない。
【０１８９】
以上をまとめて一般化すると前述の式（８）のような条件となる。
【０１９０】
また、前述の式（９）の条件を満たした場合は、無駄な時間がなくなるのでＭは最低となる。無駄時間は、例えば第４の実施形態のＳ２１における０．５ｎ／５〜ｎ／５の期間になる。
【０１９１】
また、最終メモリの出力タイミングはもっと後ろにずらすこともできるが、そうすると（条件１）により後ろから２番目のブロックの出力期間が減ってしまうので時間効率が悪くなる。
【０１９２】
（第６の実施形態）
以上で説明した実施形態では出力回路（多層化バッファ）において複数の出力経路への出力を並列に出力するための構成として、それぞれが出力ポートを持つ複数のメモリを用いており、さらに各メモリとして、データの書き込みと読み出しとを同時に行えるメモリ（デュアルポートタイプのメモリ）を用いていたが、データの書き込みと読み出しとを同時に行えないシングルポートタイプのメモリ（データの書き込みと読み出しとを排他的に行うメモリ）を用いる場合でも本発明を適用可能である。
【０１９３】
そこで、シングルポートタイプのメモリを用いた場合の好適な画像表示装置を本発明に係る画像表示装置の第６の実施形態として以下に説明する。
【０１９４】
なお、シングルポートメモリを用いる場合であっても、第１の出力経路へ出力する信号をメモリに書き込んだ後、それ以降の出力経路へ出力する信号の他のメモリへの書き込みと第１の出力経路への出力とを少なくとも一部重複して行う構成とすることにより、メモリ容量の低減を図ることが出来る。各メモリからの出力の変調側駆動回路への入力のタイミング合わせは遅延回路を用いて行えばよい。
【０１９５】
本願発明はこの構成を排除するものではないが、出力経路数が２個の場合は転送速度の低減効果が期待できず、出力経路数が３個以上であれば遅延回路に求められる記憶容量まで含めるとメモリ容量を低減させられる程度が小さくなる。この実施形態では、各出力経路に対応する各メモリを少なくとも２つのメモリ（以下では一つの出力経路に対応する２つのメモリをそれぞれメモリブロックと称するが、これは構成を分りやすくするための表記であり一般的な構成のメモリをメモリブロックとして用いることが出来る）により構成することにより、メモリ容量の低減と変調側駆動回路への転送速度の低減を図っている。
【０１９６】
本第６の実施形態では転送信号の分割数を２（変調側駆動回路の数が２、すなわちＤ＝２）として説明する。図９は、本発明に係る画像表示装置の第６の実施形態における出力回路である多層化バッファ９３２および駆動部９０３の構成図、図１０、図１１及び図１２は、図９に示される画像表示装置の動作のタイミングチャートである。図１０乃至図１２は分けているが実際にはそのタイミングは図に示すタイミングＡ及びＢで共通である。
【０１９７】
ここで、本発明に係る画像表示装置の第６の実施形態は、その全体構成及び多層化バッファ９３２及び駆動部９０３以外の部材の構成及び動作は、前述の第１の実施形態の図１に示される全体構成及び、各部材の構成及び動作と同様である。
【０１９８】
図９において、９６１は、本発明の構成要素たる選択手段としての選択器である。この選択器９６１はメモリブロックのリード信号Ｓ３１，Ｓ３２の内の有効なデータを選択し、Ｓ３１２を出力する。選択器９６２も同様である。
【０１９９】
この構成においては、転送信号Ｓ３１を転送する出力経路である第１の出力経路に対応して第１のメモリが設けられており、第１のメモリはメモリブロックＡ９４１とメモリブロックＢ９４２で構成される。第１のメモリはメモリブロックＡ９４１とメモリブロックＢ９４２に分割されているとも言える。また、転送信号Ｓ３２を転送する出力経路である第２の出力経路に対応して第２のメモリが設けられており、第２のメモリはメモリブロックＣ９４３とメモリブロックＤ９４４で構成される。第２のメモリはメモリブロックＣ９４３とメモリブロックＤ９４４に分割されているとも言える。メモリブロックＡ、Ｂ、Ｃ、Ｄはいずれもシングルポートメモリであり、データの書き込みと読出しを排他的に行うものである。
【０２００】
Ｓ１１〜Ｓ１４はアドレス信号である。メモリブロックのリード／ライトアドレスを選択する。Ｓ５１〜Ｓ５４はメモリコントロール信号である。メモリブロックのリード／ライト動作の切り替えを行う。
【０２０１】
９７１は、本発明の構成要素たる切り替え手段としての入出力切り替え器である。メモリコントロール信号Ｓ５１に従ってデータの入出力の方向を切り替える。９７２，９７３，９７４も同様に入出力切り替え器である。
【０２０２】
図１０、図１１及び図１２に示されるように、ブロックＡアドレス信号Ｓ１１のアドレスは、１走査期間中の１〜２ｎ／６の期間に輝度信号Ｓ３に同期して１〜２ｎ／６という順に変化する。この期間のコントロール信号Ｓ５１は“ＷＲＩＴＥ”である。
【０２０３】
またブロックＡアドレス信号Ｓ１１のアドレスは、１走査期間中の２ｎ／６＋１〜ｎの期間内に１〜２ｎ／６という順に変化する。これは必ずしも輝度信号Ｓ３に同期している必要はない。この期間のコントロール信号Ｓ５１は“ＲＥＡＤ”である。
【０２０４】
ブロックＢアドレス信号Ｓ１２のアドレスは、１走査期間中の２ｎ／６＋１〜３ｎ／６の期間に輝度信号Ｓ３に同期して１〜ｎ／６という順に変化する。この期間のコントロール信号Ｓ５２は“ＷＲＩＴＥ”である。
【０２０５】
またブロックＢアドレス信号Ｓ１２のアドレスは、１走査期間中の１〜２ｎ／６の期間内に１〜ｎ／６に変化する。これは必ずしも輝度信号Ｓ３に同期している必要はない。この期間のコントロール信号Ｓ５２は“ＲＥＡＤ”である。
【０２０６】
選択器９６１は１走査期間中の１〜２ｎ／６の期間はＳ７２を選択し、２ｎ／６＋１〜ｎの期間はＳ７１を選択してＳ３１を出力する。
【０２０７】
ブロックＣアドレス信号Ｓ１３のアドレスは、１走査期間中の３ｎ／６＋１〜４ｎ／６の期間に輝度信号Ｓ３に同期して１〜ｎ／６という順に変化する。この期間のコントロール信号Ｓ５３は“ＷＲＩＴＥ”である。
【０２０８】
またブロックＣアドレス信号Ｓ１３のアドレスは、１走査期間中の４ｎ／６＋１〜ｎの期間内に１〜ｎ／６という順に変化する。これは必ずしも輝度信号Ｓ３に同期している必要はない。この期間のコントロール信号Ｓ５３は“ＲＥＡＤ”である。
【０２０９】
ブロックＤアドレス信号のアドレスＳ１４は、１走査期間中の４ｎ／６＋１〜ｎの期間に輝度信号Ｓ３に同期して１〜２ｎ／６という順に変化する。この期間のコントロール信号Ｓ５４は“ＷＲＩＴＥ”である。
【０２１０】
またブロックＤアドレス信号Ｓ１４のアドレスは、１走査期間中の１〜４ｎ／６の期間内に１〜２ｎ／６という順に変化する。これは必ずしも輝度信号Ｓ３に同期している必要はない。この期間のコントロール信号Ｓ５４は“ＲＥＡＤ”である。
【０２１１】
選択器９６２は１走査期間中の１〜４ｎ／６の期間はＳ７４を選択し、４ｎ／６＋１〜ｎの期間はＳ７３を選択してＳ３２を出力する。
【０２１２】
以上のコントロール信号を与えることによって、選択器９６１の出力Ｓ３１２には輝度信号Ｓ３の１〜３ｎ／６のデータが２／６走査期間遅れて輝度信号Ｓ３のデータ速度の１／２の速度で出力される。
【０２１３】
同様に選択器９６２の出力Ｓ３３４には輝度信号Ｓ３の４ｎ／６＋１〜ｎのデータが４／６走査期間遅れて輝度信号Ｓ３のデータ速度の１／２の速度で出力される。
【０２１４】
本発明の構成要素たる遅延回路としてのディレイユニット９５１は選択器９６１の出力Ｓ３１２を入力し、２／６走査期間遅れた信号Ｓ４１を出力する。このディレイユニット９５１に必要な記憶容量は１走査配線分の容量の１／９である。
【０２１５】
以上により、２つのブロックに分割したシフトレジスタに並行にデータを転送し、データＳ３１とＳ３２の転送速度およびシフトレジスタ９０３−３の動作速度を１／２に落とすことを、１走査配線分の容量に等しいメモリ容量のシングルポートメモリと１／９倍の容量に等しい容量のディレイユニットで実現可能となる。
【０２１６】
すなわち本実施形態の構成においては、２つの変調側駆動回路に変調データを送信する２つの出力経路を設け、並行な転送を行う構成とした。更に、一つの出力経路に対応するメモリを２つの書き込み読出しを排他的に行うメモリ（２つのメモリブロック）で構成した。この構成において、一つの出力経路に対応する２つのシングルポートメモリのうちの先に変調データが入力されるほうからの変調データの読出しの開始を、該出力経路の次の出力経路に対応するメモリ（これも２つのシングルポートメモリにより構成される）への変調データの入力の開始（該次の出力経路へ出力すべき変調データの出力回路への入力開始）より前にする構成とした。この構成により書き込みと読出しを排他的に行うメモリを用いながらも、記憶装置の記憶容量の低減と出力ポートから変調側駆動回路への転送レートの低減とを実現することが出来た。この構成は出力ポート数が３つ以上の場合であっても採用可能である。
【０２１７】
（第７の実施形態）
次に、シングルポートタイプのメモリ（メモリブロック）を用い、かつ、転送信号及び駆動部を３分割以上に分割する場合の最適な実施形態を本発明に係る画像表示装置の第７の実施形態として説明する。
【０２１８】
本実施形態は、前述の第１の実施形態から第５の実施形態で述べた手法を組み合わせることによって、シングルポートメモリを用いて多層化バッファを構成する。
【０２１９】
図１３は、本発明に係る画像表示装置の第７の実施形態における多層化バッファ１３３２および駆動部１３０３の一部の構成図であり、図１４、図１５及び図１６は、図１３に示される画像表示装置の動作のタイミングチャートである。図１４乃至図１６は見やすくするために分けているが、実際には図示するタイミングＡ及びＢは各図において共通である。
【０２２０】
なお、本発明に係る画像表示装置の第７の実施形態は、その全体構成及び多層化バッファ１３３２及び駆動部１３０３以外の部材の構成及び動作は、前述の第１の実施形態の図１に示される全体構成及び、各部材の構成及び動作と同様である。
【０２２１】
本第７の実施形態では、前述の第２の実施形態での各メモリをさらにそれぞれ２分割し（各出力経路に対応して２つのメモリブロックを用い）、また、第６実施形態で示したように交互にリード／ライトを行う。
【０２２２】
なお以下ではメモリブロックの分割比について述べているが、これは一つの走査配線分の入力信号のうちのいくつの入力信号を各メモリブロックに記憶させるかを示している。
【０２２３】
第６の実施形態のように２つの変調側駆動回路（Ｄ＝２）を用いる場合に、各出力経路に対応するメモリを２つのメモリブロックに分割するときの分割比は１：２〜２：１の範囲で好適に選択可能であるが、実施形態６で採用したように、最終ブロックを１：２、その他のブロックを２：１に分割すると最もメモリの使用量を少なくすることができる。
【０２２４】
３つ以上の変調側駆動回路を用いる（３つ以上の出力経路を介した並列転送を行う、すなわちＤ≧３）場合であると、第２又は３の実施形態との組み合わせになる。これも同様に各メモリをさらにそれぞれ２分割し、第６の実施形態で示したように交互にリード／ライトを行う。
【０２２５】
各メモリを２分割するときの分割比（１つの出力経路に対応する２つのメモリブロックの容量比）は１：Ｄ〜Ｄ：１の範囲で好適に選択可能であり、このときのメモリブロックの容量はそれぞれ、画像表示装置の駆動部が持つ全シフトレジスタの容量の和の１／Ｄ（Ｄ＋１）〜Ｄ／Ｄ（Ｄ＋１）倍となる。
【０２２６】
すなわち、１つの出力経路に対応する２つのメモリブロック（２分割されたメモリブロック）の記憶容量の比は、メモリブロックに入力する輝度信号の入力順にメモリブロックを番号付けたとして、それぞれの２分割されたメモリブロック毎に、奇数番目のメモリブロックの容量と偶数番目のメモリブロックの容量とが、１／Ｄ≦（奇数番目のメモリブロックの容量）／（偶数番目のメモリブロックの容量）≦Ｄを満たすことになる。
【０２２７】
ここで、なぜ、２分割するときの分割比は１：Ｄ〜Ｄ：１の範囲で選択可能であり、このときのメモリブロックの容量はそれぞれ全シフトレジスタの容量の和の１／Ｄ（Ｄ＋１）〜Ｄ／Ｄ（Ｄ＋１）倍となるのかについて以下に説明する。
【０２２８】
転送信号Ｓ３１〜の（出力経路の）数をＤ本、Ｓ１１のＷＲＩＴＥ期間をＷ１、ＲＥＡＤ期間をＲ１、Ｓ１２のＷＲＩＴＥ期間をＷ２、ＲＥＡＤ期間をＲ２、また１ラインの期間をＴ、さらにメモリブロック４１，４２の分割比を１：ｎ、とする。
【０２２９】
リード信号は１ライン期間をいっぱいに使って出力されるので
Ｒ１＋Ｒ２＝Ｔ…（１）
【０２３０】
入力信号Ｓ３は最終的にはＤ分割されてＳ３１〜として出力されるのでＳ３１〜の転送速度は１／Ｄとなり、Ｒ１＝Ｄ・Ｗ１、Ｒ２＝Ｄ・Ｗ２より
Ｗ１＋Ｗ２＝Ｔ／Ｄ…（２）
【０２３１】
（１）（２）より
Ｒ１＋Ｗ１＋Ｒ２＋Ｗ２＝Ｔ（１＋１／Ｄ）…（３）
【０２３２】
メモリブロック１３４１，１３４２の分割比が１：ｎであることから
Ｒ１＝Ｒ２／ｎ…（４）
Ｗ１＝Ｗ２／ｎ…（５）
Ｒ２＝ｎＲ１…（６）
Ｗ２＝ｎＷ２…（７）
【０２３３】
また、各メモリブロック４１，４２ではリード動作とライト動作を同時に行うことはできず、さらに１ライン期間以内に動作を終了させなくてはならないので、
Ｒ１＋Ｗ１＜Ｔ…（８）
Ｒ２＋Ｗ２＜Ｔ…（９）
が制約条件となる。
【０２３４】
ここで、（３）（４）（５）より、
（Ｒ２＋Ｗ２）（１＋１／ｎ）＝Ｔ（１＋１／Ｄ）…（１０）
【０２３５】
さらに（９）（１０）より
ｎ＜Ｄ…（１１）
【０２３６】
同様にして（３）（６）（７）（８）より
ｎ＞１／Ｄ…（１２）
【０２３７】
そして、（１１）（１２）よりメモリブロック１３４１，１３４２の分割比は１：Ｄ〜Ｄ：１となる
【０２３８】
また、最終出力経路に対応するメモリである最終メモリを１：Ｄ、その他の出力経路に対応するメモリをＤ：１に分割する、すなわちＸ番目のメモリブロックの容量がシフトレジスタの容量のＤ／Ｄ（Ｄ＋１）倍（Ｘ＝１，３，５，…，２Ｄ−５，２Ｄ−３および２Ｄ）、１／Ｄ（Ｄ＋１）倍（Ｘ＝２，４，６，…，２Ｄ−４，２Ｄ−２および２Ｄ−１）とすると、最もメモリ使用量を少なくすることができる。
【０２３９】
ここで、最もメモリの使用量を少なくするための、（１）最終メモリを１：Ｄの容量比の２つのメモリブロックに分割し、その他のメモリをＤ：１の容量比の２つのメモリブロックに分割する根拠、（２）Ｘ番目のメモリブロックの容量がシフトレジスタの容量のＤ／Ｄ（Ｄ＋１）倍（Ｘ＝１，３，５，…，２Ｄ−５，２Ｄ−３および２Ｄ）、１／Ｄ（Ｄ＋１）倍（Ｘ＝２，４，６，…，２Ｄ−４，２Ｄ−２および２Ｄ−１）とする根拠、について説明する。
【０２４０】
（１）最終メモリを１：Ｄ、その他のメモリをＤ：１に分割する根拠
念のため補足するが、ここでいう「使用量を少なくすることができるメモリ」はディレイユニット１３６１、１３６３に相当するメモリであり、メモリブロックＡ乃至Ｆ１３４１から１３４６の容量は変わらない。
【０２４１】
本実施形態では転送信号Ｓ３１〜は多層化バッファ１３３２より出力される際にタイミングがずれるので、ディレイユニットライン１３６１、１３６２によってタイミングを揃える。
【０２４２】
転送信号Ｓ３１〜のタイミングは、初めのメモリからの出力（Ｓ３１）が最も早いタイミングで出力され、最終メモリからの出力（Ｓ３３）が最も遅く出力される。
【０２４３】
よってディレイラインを入れて全てのタイミングを最終メモリからの出力に揃える。
【０２４４】
一方メモリブロック１３４１から１３４６では、この分割比を１：Ｄ〜Ｄ：１の間で変化させると出力されるタイミングも変化する。
【０２４５】
具体的には分割比が１：Ｄのとき最も早く出力され、Ｄ：１のときに最も遅く出力される。
【０２４６】
最終メモリからの出力はそれが開始されるまでは他のメモリからの出力を遅延させなくてはならないので最も早く出力される１：Ｄを、他のメモリからはできるだけ遅く出力された方がディレイユニット１３６１、１３６２の容量を減らすことができるのでＤ：１を選ぶことになる。
【０２４７】
（２）Ｘ番目のメモリブロックの容量について
Ｘ番目のメモリブロック４１〜の分割比が決定すれば、転送データＳ３１〜による分割比１／Ｄと、メモリブロック内での分割比１：ＤあるいはＤ：１（１／（Ｄ＋１），Ｄ／（Ｄ＋１））から、Ｄ／Ｄ（Ｄ＋１）倍（Ｘ＝１，３，５，…，２Ｄ−５，２Ｄ−３および２Ｄ、すなわちＤが３であればＸ＝１，３，６）、１／Ｄ（Ｄ＋１）倍（Ｘ＝２，４，６，…，２Ｄ−４，２Ｄ−２および２Ｄ−１、すなわちＤが３であればＸ＝２，４，５）となる。
【０２４８】
その他の動作の詳細は既に説明した実施形態とほぼ同様であり、前述の各実施形態と同様に、少ないメモリ容量で、シフトレジスタの動作速度を低減することができる。
【０２４９】
（第８の実施形態）
以上述べてきた実施形態では表示素子を駆動することによって表示する複数の色（ＲＧＢ）に対応するデータをあらかじめ時系列に並べたデータを複数の変調側駆動回路に並列に送信するように分割していたが、本願発明の実施の形態はそれに限るものではない。第８の実施形態では、色毎の変調データを別々に分割した後、複数の色に対応するデータを合成し時系列に配置したものを変調側駆動回路で用いる構成を示す。
【０２５０】
具体的には、ここでは色毎の時系列な変調データをそれぞれ複数の変調側駆動回路に向かう複数の並列な変調データに分割する分割回路（色毎の出力回路）と、該分割回路と変調側駆動回路の間に設けた合成回路であるＲＧＢ選択配置部とを組み合わせた出力回路を用いている。すなわち各色の信号ごとに分割を行って並列な出力を行い、その出力を各色の信号を含む時系列信号になるように選択して時系列に並べて変調側駆動回路に入力する構成としている。ここで分割のための構成は基本的には第１の実施形態で用いた出力回路の構成と同様である。
【０２５１】
図１７は、本発明に係る画像表示装置の第８の実施形態における全体の構成図である。１７３２はＲＧＢ選択配置部と一体化した多層化バッファであり、ＲＧＢ毎の映像信号Ｓ２を入力して、ＲＧＢ選択配置および多層化を行う。
【０２５２】
なお、本発明に係る画像表示装置の第８の実施形態において、多層化バッファ１７３２以外の動作及び構造は、前述の第１の実施形態の動作及び構造と同様である。
【０２５３】
図１８は、図１７に示される画像表示装置に用いられるＲＧＢ選択配置部と一体化した多層化バッファ１７３２の構成図であり、図１９、図２０及び図２１は、図１７に示される画像表示装置の第８の実施形態の動作のタイミングチャートである。
【０２５４】
表示パネル１の変調配線数はｎであるのでＲＧＢ別の水平画素数ｍはｍ＝ｎ／３となっている。である。また、表示パネル１の画素配列は走査配線に沿ってＲＧＢの順で並んでいるとする。すなわちここでの出力回路（多層化バッファ）に入力される色毎の１走査配線分の入力信号は、走査配線に他の色に対応する２つの表示素子を挟んで飛び飛びに接続される表示素子に対応する一連の信号で構成されることとなる。
【０２５５】
図１８に示されるＳ３−１〜Ｓ３−３はＲＧＢそれぞれの映像信号である。Ｓ６１はＲＧＢ選択配置を行うための色選択信号である。１８８１，１８８２は色選択信号Ｓ６１に基づいて色選択を行う色選択器である。Ｓ３１およびＳ３２は分割されて、更にＲＧＢ選択配置された転送信号である。
【０２５６】
映像信号Ｓ３−１を、メモリブロックＡ１８４１，メモリブロックＢ１８４２を用いて前述の第１の実施形態と同様の方法にてＳ７１〜Ｓ７２に分割する。すなわちメモリブロックＡ１８４１とメモリブロックＢ１８４２は赤に対応する出力回路を構成する。Ｓ７１〜Ｓ７２は映像信号Ｓ３−１の半分のデータ速度となる。
【０２５７】
同様にして映像信号Ｓ３−２〜Ｓ３−３も同様の方法にてＳ７３〜Ｓ７６に分割する。
【０２５８】
すなわち、各色に対応するメモリブロックＡ、Ｃ、Ｅで構成されるメモリが１つの出力経路（変調データＳ３１が転送される経路）に対応しており、メモリブロックＢ、Ｄ、Ｆで構成されるメモリが他の一つの出力経路（変調データＳ３２が転送される経路）に対応している。
【０２５９】
そして、図１９、図２０及び図２１に示されるように、色選択信号Ｓ６１は分割されたＲＧＢ信号Ｓ７１〜Ｓ７６の３倍の速度に同期してＲＧＢの順に変化しつづける。
【０２６０】
色選択器１８８１は分割された映像信号Ｓ７１、Ｓ７３、Ｓ７５を入力し、色選択信号Ｓ６１に応じて信号を選択して転送信号Ｓ３１を出力する。
【０２６１】
同様に色選択器１８８２も分割された映像信号Ｓ３２，Ｓ３４，Ｓ３６を入力し、転送信号Ｓ３２を出力する。
【０２６２】
以上により、映像信号Ｓ２の１．５倍の速度でＲＧＢ選択配置された転送信号Ｓ３１およびＳ３２を生成することが１走査配線分の容量に等しい記憶容量で実現可能となる。
【０２６３】
また同様にして、前述の第２の実施形態乃至第７の実施形態で説明した方法とＲＧＢ選択配置を組み合わせることも当然可能である。
【０２６４】
以上説明したように以上述べた各実施形態によれば、シフトレジスタの動作速度が低速でかつメモリの使用量の少ない画像表示装置を提供することが可能となる。
【０２６５】
なお以上説明した各実施形態の構成は組み合わせて用いることも可能である。
【図面の簡単な説明】
【図１】本発明に係る画像表示装置の第１の実施形態の構成図である。
【図２】図１に示される多層化バッファ３２の内部構成を示す図である。
【図３】図１に示される本発明に係る画像表示装置の第１の実施形態の動作のタイミングチャートである。
【図４】本発明に係る画像表示装置の第２の実施形態に使用される多層化バッファ４３２及び駆動部４０３の一部の構成図である。
【図５】図４に示される画像表示装置の動作のタイミングチャートである。
【図６】図４に示される画像表示装置の動作のタイミングチャートである。
【図７】本発明に係る画像表示装置の第４の実施形態における多層化バッファ７３２及び駆動部７０３の構成図である。
【図８】図７に示される画像表示装置のタイミングチャートである。
【図９】本発明に係る画像表示装置の第６の実施形態における多層化バッファ９３２および駆動部９０３の構成図である。
【図１０】図９に示される画像表示装置の動作のタイミングチャートである。
【図１１】図９に示される画像表示装置の動作のタイミングチャートである。
【図１２】図９に示される画像表示装置の動作のタイミングチャートである。
【図１３】本発明に係る画像表示装置の第７の実施形態における多層化バッファ１３３２および駆動部１３０３の一部の構成図である。
【図１４】図１３に示される画像表示装置の動作のタイミングチャートである。
【図１５】図１３に示される画像表示装置の動作のタイミングチャートである。
【図１６】図１３に示される画像表示装置の動作のタイミングチャートである。
【図１７】本発明に係る画像表示装置の第８の実施形態における全体の構成図である。
【図１８】図１７に示される画像表示装置に用いられる、ＲＧＢ選択配置部と一体化した多層化バッファ１７３２の構成図である。
【図１９】図１７に示される画像表示装置の第８の実施形態の動作のタイミングチャートである。
【図２０】図１７に示される画像表示装置の第８の実施形態の動作のタイミングチャートである。
【図２１】図１７に示される画像表示装置の第８の実施形態の動作のタイミングチャートである。
【図２２】特開平５−１００６３２号公報に示されている従来の画像表示装置の構成を示す構成図である。
【図２３】図２２に示される画像表示装置のタイミングチャートである。
【図２４】従来の画像表示装置の構成図である。
【図２５】図２４に示される画像表示装置のタイミングチャートである。
【図２６】ＵＳＰ５７１０６０４に示される画像表示装置の構成図である。
【図２７】図２６に示される画像表示装置のタイミングチャートである。
【図２８】従来のマトリクス表示パネルを用いた画像表示装置の構成図である。
【図２９】図２８に示される画像表示装置の信号のタイミングチャートである。
【符号の説明】
１  表示パネル
２  走査側駆動部
３  駆動部
３−１  変調駆動回路
３−２  ラッチ回路
３−３  シフトレジスタ
３１  選択配置部
３２  多層化バッファ
３３  表示タイミング生成部
３４  タイミングコントローラ
４１  メモリブロックＡ
４２  メモリブロックＢ
４３  メモリブロックＣ
５１  ディレイユニット
４０３  駆動部
４３２  多層化バッファ
７０３  駆動部
７０３−３  シフトレジスタ
７３２  多層化バッファ
７３４  タイミングコントローラ
７４１  メモリブロックＡ
７４２  メモリブロックＢ
７４３  メモリブロックＣ
９０３  駆動部
９０３−３  シフトレジスタ
９３２  多層化バッファ
９４１  メモリブロックＡ
９４２  メモリブロックＢ
９４３  メモリブロックＣ
９４４  メモリブロックＤ
９５１  ディレイユニット
９６１，９６２  選択器
９７１，９７２，９７３，９７４  入出力切り替え器
１３０３  駆動部
１３０３−３  シフトレジスタ
１３３２  多層化バッファ
１３４１  メモリブロックＡ
１３４２  メモリブロックＢ
１３４３  メモリブロックＣ
１３４４  メモリブロックＤ
１３４５  メモリブロックＥ
１３４６  メモリブロックＦ
１３５１，１３５２  ディレイユニット
１３６１，１３６２，１３６３  選択器
１３７１，１３７２，１３７３，１３７４，１３７５  入力切り替え器
１７３２  多層化バッファ
１８４１  メモリブロックＡ
１８４２  メモリブロックＢ
１８４３  メモリブロックＣ
１８４４  メモリブロックＤ
１８４５  メモリブロックＥ
１８４６  メモリブロックＦ
１８８１，１８８２  色選択器
【図１】
0003728250.tif 000012
【図２】
0003728250.tif 000013
【図３】
0003728250.tif 000014
【図４】
0003728250.tif 000015
【図５】
0003728250.tif 000016
【図６】
0003728250.tif 000017
【図７】
0003728250.tif 000018
【図８】
0003728250.tif 000019
【図９】
0003728250.tif 000020
【図１０】
0003728250.tif 000021
【図１１】
0003728250.tif 000022
【図１２】
0003728250.tif 000023
【図１３】
0003728250.tif 000024
【図１４】
0003728250.tif 000025
【図１５】
0003728250.tif 000026
【図１６】
0003728250.tif 000027
【図１７】
0003728250.tif 000028
【図１８】
0003728250.tif 000029
【図１９】
0003728250.tif 000030
【図２０】
0003728250.tif 000031
【図２１】
0003728250.tif 000032
【図２２】
0003728250.tif 000033
【図２３】
0003728250.tif 000034
【図２４】
0003728250.tif 000035
【図２５】
0003728250.tif 000036
【図２６】
0003728250.tif 000037
【図２７】
0003728250.tif 000038
【図２８】
0003728250.tif 000039
【図２９】
0003728250.tif 000040